(57)【要約】      （修正有）【課題】衝撃による歩度の増大を防止できるテンプ、ムーブメントおよび機械式時計を提供する。【解決手段】テンプは、テン真４１０と、テン輪と、ヒゲ玉４４０と、ヒゲ持と、ヒゲ玉４４０に内端部が固定され、ヒゲ持に外端部が固定されたヒゲゼンマイ７０とを備える。ヒゲゼンマイ７０は、内端部から連続して形成され、テン真４１０の軸方向から見た平面視でアルキメデス曲線に沿って巻かれた巻回部を有する。ヒゲ玉４４０は、ヒゲゼンマイ７０の内端部が固定される溝部４４１を有し、巻回部の内端部側の端部である巻出し部から、平面視で溝部４４１の長手方向と直交し、かつ、テン真４１０の中心軸を結ぶ仮想線が巻回部と交差する位置までの範囲に、平面視の形状が曲線とされた第１外面部４４５を備え、第１外面部４４５は、巻回部の最も内周側の１巻目に沿って形成されている。【選択図】図５
2020159735.tif 000002
【特許請求の範囲】
【請求項１】
支持部材に回転自在に支持されたテン真と、
前記テン真に固定されたテン輪と、
前記テン真に固定されたヒゲ玉と、
前記支持部材に固定されたヒゲ持と、
前記ヒゲ玉に内端部が固定され、前記ヒゲ持に外端部が固定されたヒゲゼンマイと、を備え、
前記ヒゲゼンマイは、前記内端部から連続して形成され、前記テン真の軸方向から見た平面視でアルキメデス曲線に沿って巻かれた巻回部を有し、
前記ヒゲ玉は、前記ヒゲゼンマイの内端部が固定される溝部を有し、前記巻回部の前記内端部側の端部である巻出し部から、前記平面視で前記溝部の長手方向と直交し、かつ、前記テン真の中心軸を結ぶ仮想線が前記巻回部と交差する位置までの範囲に、前記平面視の形状が曲線とされた第１外面部を備え、
前記第１外面部は、前記巻回部の最も内周側の１巻目に沿って形成されている
ことを特徴とするテンプ。
【請求項２】
請求項１に記載のテンプにおいて、
前記第１外面部の前記平面視の形状は、中心点および半径が互いに異なる２つの円弧を連続させた曲線である
ことを特徴とするテンプ。
【請求項３】
請求項１に記載のテンプにおいて、
前記第１外面部の前記平面視の形状は、前記第１外面部に対向する前記巻回部の１巻目との間隔が一定の曲線である
ことを特徴とするテンプ。
【請求項４】
請求項１から請求項３のいずれか一項に記載のテンプにおいて、
前記ヒゲ玉は、前記第１外面部に加えて、前記巻回部の１巻目に対向する第２外面部を備え、
前記第２外面部の前記平面視の形状は、前記テン真の中心軸を中心点とする円弧である
ことを特徴とするテンプ。
【請求項５】
請求項１から請求項４のいずれか一項に記載のテンプにおいて、
前記テン真と、前記テン輪と、前記ヒゲ玉と、前記テン真を支持する振り座と、を合わせた片重りの量が１０μｇ・ｃｍ以下である
ことを特徴とするテンプ。
【請求項６】
請求項１から請求項５のいずれか一項に記載のテンプと、
前記支持部材としての地板およびテンプ受けと、
を備えることを特徴とするムーブメント。
【請求項７】
請求項６に記載のムーブメントを備えることを特徴とする機械式時計。
【発明の詳細な説明】
【技術分野】
【０００１】
本発明は、テンプ、ムーブメントおよび機械式時計に関する。
【背景技術】
【０００２】
機械式時計は、調速機構にヒゲゼンマイを用いている。そして、特許文献１に記載されたように、ヒゲゼンマイの内端部を、ヒゲ玉の溝部に固定する構造が知られている。
従来のヒゲ玉は、ヒゲゼンマイに対向する外面部が、ヒゲ玉が固定されたテン真の中心軸を中心点とする円弧に沿った曲面となるように製造されている。このため、アルキメデス曲線に沿って形成されるヒゲゼンマイと、前記外面部の間隔は、徐々に広がるように構成される。
【先行技術文献】
【特許文献】
【０００３】
【特許文献１】特開２０１７−１９４２８６号公報
【発明の概要】
【発明が解決しようとする課題】
【０００４】
前記機械式時計は、落下等の衝撃が加わると、ヒゲゼンマイが変形して歩度が大きく変化する可能性があった。特に、ヒゲ玉の外面部とヒゲゼンマイとの間隔が徐々に広がるため、衝撃が加わった場合にヒゲゼンマイの変位量が大きくなって変形し易いため、歩度が変化しやすい課題があった。
【課題を解決するための手段】
【０００５】
本開示のテンプは、支持部材に回転自在に支持されたテン真と、前記テン真に固定されたテン輪と、前記テン真に固定されたヒゲ玉と、前記支持部材に固定されたヒゲ持と、前記ヒゲ玉に内端部が固定され、前記ヒゲ持に外端部が固定されたヒゲゼンマイと、を備え、前記ヒゲゼンマイは、前記内端部から連続して形成され、前記テン真の軸方向から見た平面視でアルキメデス曲線に沿って巻かれた巻回部を有し、前記ヒゲ玉は、前記ヒゲゼンマイの内端部が固定される溝部を有し、前記巻回部の前記内端部側の端部である巻出し部から、前記平面視で前記溝部の長手方向と直交し、かつ、前記テン真の中心軸を結ぶ仮想線が前記巻回部と交差する位置までの範囲に、前記平面視の形状が曲線とされた第１外面部を備え、前記第１外面部は、前記巻回部の最も内周側の１巻目に沿って形成されていることを特徴とする。
【０００６】
本開示のテンプにおいて、前記第１外面部の前記平面視の形状は、中心点および半径が互いに異なる２つの円弧を連続させた曲線であってもよい。
【０００７】
本開示のテンプにおいて、前記第１外面部の前記平面視の形状は、前記第１外面部に対向する前記巻回部の１巻目との間隔が一定の曲線であってもよい。
【０００８】
本開示のテンプにおいて、前記ヒゲ玉は、前記第１外面部に加えて、前記巻回部の１巻目に対向する第２外面部を備え、前記第２外面部の前記平面視の形状は、前記テン真の中心軸を中心点とする円弧であってもよい。
【０００９】
本開示のテンプにおいて、前記テン真と、前記テン輪と、前記ヒゲ玉と、前記テン真を支持する振り座と、を合わせた片重りの量が１０μｇ・ｃｍ以下であってもよい。
【００１０】
本開示のムーブメントは、前記テンプと、前記支持部材としての地板およびテンプ受けと、を備えることを特徴とする。
【００１１】
本開示の機械式時計は、前記ムーブメントを備えることを特徴とする。
【図面の簡単な説明】
【００１２】
【図１】本発明に係る実施形態の時計を示す正面図。
【図２】本実施形態におけるムーブメントを示す平面図。
【図３】本実施形態における調速機を示す断面図。
【図４】本実施形態における調速機を示す平面図。
【図５】本実施形態のヒゲ玉部分を拡大した平面図。
【図６】本実施形態のヒゲゼンマイ根元応力を示すグラフ。
【発明を実施するための形態】
【００１３】
以下、本発明の実施形態に係る時計１を図面に基づいて説明する。
図１は、時計１を示す正面図である。時計１は、ユーザーの手首に装着される腕時計であり、円筒状の外装ケース２を備え、外装ケース２の内周側に、文字板３が配置されている。外装ケース２の二つの開口のうち、表面側の開口は、カバーガラスで塞がれており、裏面側の開口は裏蓋で塞がれている。
【００１４】
また、時計１は、外装ケース２内に収容された時計ムーブメント１０（図２）と、時刻情報を表示する時針４Ａ、分針４Ｂ、秒針４Ｃと、時計ムーブメント１０が備える図示しないゼンマイによる持続時間を指示するパワーリザーブ針５とを備えている。
各指針４Ａ〜４Ｃおよびパワーリザーブ針５は、時計ムーブメント１０の指針軸に取り付けられ、時計ムーブメント１０により駆動される。
文字板３には、カレンダー小窓３Ａが設けられており、カレンダー小窓３Ａから、日車６が視認可能となっている。
【００１５】
外装ケース２の側面には、リューズ７が設けられている。リューズ７は、時計１の中心に向かって押し込まれた通常の位置（０段位置）から２段引くことができる。
リューズ７を０段位置で回転すると、後述するように、ゼンマイを巻き上げることができる。ゼンマイの巻上げに連動して、パワーリザーブ針５が移動する。本実施形態の時計１は、ゼンマイをフルに巻き上げた場合に、約４０時間の持続時間を確保できる。
リューズ７を１段位置に引いて回転すると、日車６を移動して日付を合わせることができる。リューズ７を２段位置に引くと秒針４Ｃが停止し、２段位置でリューズ７を回転すると、時針４Ａ、分針４Ｂが移動して時刻を合わせることができる。
【００１６】
［時計ムーブメント］
次に、時計ムーブメント１０について図２を参照して説明する。
時計ムーブメント１０は、地板１１、一番受け１２、テンプ受け１３を備えている。地板１１と一番受け１２との間には、ゼンマイが収納された香箱車（一番車）２１と、二番車（図示略）と、三番車２３、四番車２４、ガンギ車（五番車）２５が配置されている。また、地板１１とテンプ受け１３との間には、アンクル２６、調速機２７等が配置されている。
【００１７】
［手巻き機構］
手巻き機構３０は、一番受け１２に回転自在に軸支された、巻真３１、つづみ車３２、きち車３３、丸穴車４０、第１中間車５１、第２中間車５２を備え、リューズ７の回転操作による回転を、角穴車６０に伝達し、角穴車６０および香箱真を回転させてゼンマイを巻き上げるものである。なお、丸穴車４０は、きち車３３に噛み合う第１丸穴車４１と、第１丸穴車４１と一体に回転して第１中間車５１に噛み合う第２丸穴車４２とで構成されている。
【００１８】
［調速機］
図３は、調速機２７を示す断面図であり、図４は、調速機２７を示す平面図である。なお、図４では、振り座４３０、ヒゲ持４５０、緩急針４６０については、図示を省略している。
調速機２７は、図３、図４に示すように、テンプ４００を備える。テンプ４００は、テン真４１０、テン輪４２０、ヒゲ玉４４０、ヒゲ持４５０、緩急針４６０、ヒゲゼンマイ７０を含んで構成される。
テン真４１０は、地板１１およびテンプ受け１３に回転自在に支持されている。したがって、地板１１およびテンプ受け１３は、テン真４１０を軸支する支持部材である。
テン真４１０には、テン輪４２０、振り座４３０、ヒゲ玉４４０が固定され、これらが一体で回転するように構成されている。ヒゲゼンマイ７０は、その内端部７１がヒゲ玉４４０に固定され、外端部７３は、ヒゲ持４５０に固定されている。緩急針４６０は、ヒゲ棒４６１およびヒゲ受４６２を含んで構成され、ヒゲゼンマイ７０の最外周部分は、ヒゲ棒４６１およびヒゲ受４６２の間を通過している。
【００１９】
そして、このような調速機２７では、テン輪４２０がテン真４１０を軸として回転すると、これに伴いヒゲ玉４４０も回転するので、テン輪４２０には、ヒゲゼンマイ７０の付勢力が作用し、この付勢力とテン輪４２０の慣性力とがつり合うと、テン輪４２０の回転が停止し、ヒゲゼンマイ７０の付勢力により、テン輪４２０は逆方向に回転する。すなわち、テン輪４２０は、テン真４１０を軸として揺動を繰り返す。
【００２０】
次に、テンプ４００におけるヒゲゼンマイ７０およびヒゲ玉４４０の構成について、図４〜図５を用いて説明する。図５は、図４のヒゲ玉４４０の近傍を拡大した図である。
【００２１】
［ヒゲゼンマイ］
ヒゲゼンマイ７０は、Ｃｒ，Ｎｉ，Ｃｏ等を含む合金であるコエリンバー等の板状の弾性材料により形成されている。
ヒゲゼンマイ７０は、ヒゲ玉４４０に形成された溝部４４１に挿入され、ヒゲ玉４４０に固定された内端部７１と、内端部７１から連続し、テン真４１０の軸方向に沿った方向から見た平面視において、テン真４１０の中心軸Ｏを中心にして巻回する巻回部７２と、巻回部７２の内端部７１とは反対側の端部から連続し、ヒゲ持４５０に固定される屈曲部を備えた外端部７３とを備えている。
すなわち、巻回部７２は、ヒゲ玉４４０の溝部４４１に挿入されていない部分であり、かつ、前記平面視でアルキメデス曲線に沿って湾曲している湾曲部分を意図している。なお、本実施形態では、巻回部７２の最外周の途中に、屈曲部７２２が形成されているが、屈曲部７２２のように、湾曲部分と湾曲部分とを連結する部分は、巻回部７２の一部として考える。
【００２２】
本実施形態では、巻回部７２は、巻回部７２の内端部７１側の端部である巻出し部７２１から、約１４巻、巻回している。
ここで、１４巻とは、巻出し部７２１を起点とした場合の巻回方向の回転角度を角度θとした場合、角度θが、５０４０度（＝３６０度×１４）であることを意図している。
なお、以下の説明では、巻回部７２のＮ巻目（Ｎは整数）という表現を用いるが、これは、角度θが（Ｎ−１）×３６０度以上、Ｎ×３６０度未満の範囲である巻回部７２の周回部分を示す。
例えば、１巻目とは、角度θが０度以上３６０度未満の範囲の周回部分であり、２巻目とは、角度θが３６０度以上７２０度未満の範囲の周回部分である。
巻回部７２は、前述したように、平面視でアルキメデス曲線に沿って巻かれており、各周回部分の間隔はそれぞれ一定とされている。
【００２３】
［ヒゲ玉］
ヒゲ玉４４０は、前述した溝部４４１を有するとともに、テン真４１０が通る中心孔から溝部４４１の長手方向と直交する方向に延びるスリット４４２を有する。ヒゲ玉４４０の中心孔にテン真４１０を嵌合した際には、スリット４４２が開くようにヒゲ玉４４０が弾性変形し、その反力によりテン真４１０が締め付けられ、テン真４１０とヒゲ玉４４０とが固定される。
ヒゲ玉４４０の周面は、溝部４４１の両側が開口する切欠き面４４３、４４４と、第１外面部４４５と、第２外面部４４８とを備える。切欠き面４４３、４４４は、前記平面視で、図５に二点鎖線で示すテン真４１０の中心軸Ｏを中心とした曲率半径Ｒの仮想円Ｃ１を想定した場合、仮想円Ｃ１から中心軸Ｏ側に窪んだ形状とされ、溝部４４１が開口する平面と、この平面と前記第１外面部４４５、第２外面部４４８とを結ぶ平面とを備える。各平面の交差角度は鈍角とされ、ヒゲゼンマイ７０の巻回部７２が接触しないように形成されている。
ヒゲゼンマイ７０の巻回部７２は、溝部４４１の長手方向の両端に形成される開口のうち、一方の切欠き面４４４の開口から引き出されている。
【００２４】
第１外面部４４５は、切欠き面４４４からスリット４４２までの領域に形成され、溝部４４１から引き出される巻回部７２の最も内周側の１巻目７２Ａに沿って湾曲されている。第１外面部４４５は、図５に示すように、仮想円Ｃ１よりも中心軸Ｏ側に形成され、仮想円Ｃ１とは形状が異なる。ここで、第１外面部４４５が１巻目７２Ａに沿って湾曲されているとは、第１外面部４４５と１巻目７２Ａとの間隔が略一定であることを意味する。すなわち、第１外面部４４５の全範囲にわたって１巻目７２Ａとの間隔が一定のものに限定されず、前記間隔が基準間隔に対して±２０％程度以内でばらつくものも含まれる。例えば、前記基準間隔を０．１ｍｍとした場合、第１外面部４４５の全範囲にわたって１巻目７２Ａとの間隔が０．０８〜０．１２ｍｍ程度の範囲に納まっている場合、第１外面部４４５と１巻目７２Ａとの間隔が略一定であるとする。
第２外面部４４８は、スリット４４２から切欠き面４４３までの領域に形成されている。第２外面部４４８は、仮想円Ｃ１に沿った面とされている。つまり、第２外面部４４８の前記平面視の形状は、テン真４１０の中心軸Ｏを中心とした曲率半径Ｒの円弧とされている。
【００２５】
本実施形態では、ヒゲ玉４４０の中心軸Ｏおよび巻出し部７２１を通る仮想線をＬ１、中心軸Ｏを通りスリット４４２に沿って延びる仮想線をＬ２、中心軸Ｏおよび第１外面部４４５の切欠き面４４４側端を通る仮想線をＬ３とすると、例えば、仮想線Ｌ１と仮想線Ｌ３とのなす角度は約３９度、仮想線Ｌ１と仮想線Ｌ２とのなす角度は約１４２度である。中心軸Ｏを通り仮想線Ｌ２に直交する仮想線をＬ５とする。仮想線Ｌ５は、溝部４４１の長手方向と並行となり、仮想線Ｌ２は溝部４４１の長手方向に直交する。
【００２６】
第１外面部４４５は、ヒゲ玉４４０の周面のうち、仮想線Ｌ３と仮想線Ｌ２とで挟まれた区間に形成される。第１外面部４４５は、仮想線Ｌ３側の第１円弧部４４６と、仮想線Ｌ２側の第２円弧部４４７とを備える。第１円弧部４４６および第２円弧部４４７は、それぞれ異なる曲率中心および曲率半径の円弧面とされている。中心軸０を通り、第１円弧部４４６と、第２円弧部４４７の境界を通る仮想線をＬ４とする。
第１円弧部４４６は、中心点Ｏ１から半径Ｒ１の円弧形状とされ、仮想線Ｌ３方向の一端が切欠き面４４４に接続され、仮想線Ｌ４方向の他端が第２円弧部４４７へと滑らかに連続されている。
第２円弧部４４７は、中心点Ｏ２から半径Ｒ２の円弧形状とされ、仮想線Ｌ４方向の一端が第１円弧部４４６から連続し、仮想線Ｌ２方向の他端がスリット４４２に接続されている。
【００２７】
これらの中心点Ｏ１，Ｏ２および半径Ｒ１，Ｒ２は、それぞれ第１円弧部４４６および第２円弧部４４７の外面部が、巻回部７２の最も内周側の１巻目７２Ａに沿った形状となるように設定されている。
具体的には、第１円弧部４４６の中心点Ｏ１は、中心軸Ｏから第１円弧部４４６とは反対側にずらしている。これにより、第１円弧部４４６の円弧形状は、仮想円Ｃ１よりも中心軸Ｏ寄りに変位されている。また、第２円弧部４４７の中心点Ｏ２は、中心軸Ｏからスリット４４２の向きにずらされている。また、第２円弧部４４７の半径Ｒ２は半径Ｒより小さくされている。これにより、第２円弧部４４７は、一端が第１円弧部４４６と連続しつつ他端がスリット４４２との接続部分で中心軸Ｏから半径Ｒとなるように設定されている。
【００２８】
このような第１円弧部４４６および第２円弧部４４７により、第１外面部４４５は、第１外面部４４５に対向する巻回部７２の１巻目７２Ａとの間隔が一定に近い曲線とされている。
本実施形態では、第１外面部４４５と巻回部７２との間隔が、仮想線Ｌ５方向近傍で最大となり、この位置での間隔を０．１ｍｍとすると、仮想線Ｌ２方向で間隔０．９５ｍｍ、仮想線Ｌ４方向近傍で間隔０．９４ｍｍ、仮想線Ｌ３方向で間隔０．９５ｍｍとされ、第１外面部４４５と巻回部７２の１巻目７２Ａとの間には第１外面部４４５の全範囲にわたって略一定の間隔が保たれている。
一方、第２外面部４４８は、曲率半径が一定の曲面であるため、巻回部７２の１巻目７２Ａとの間隔は徐々に拡大する。
【００２９】
本実施形態のようなヒゲ玉では、テン真の軸方向から見た平面視で、重心が中心からずれることが多い。このような重心ずれは片重りと呼ばれ、片重りが大きくなると、歩度が姿勢差間で差が大きくなることが知られている。
本実施形態では、ヒゲ玉４４０と、ヒゲ玉４４０と一体に組み立てられるテン輪４２０、テン真４１０、および振り座４３０とを合わせた重心の、中心軸Ｏからのずれ量、つまり片重りの量が１０μｇ・ｃｍ以下、つまり１．０×１０−１０ｋｇ・ｍ以下となるようにしており、姿勢差による歩度変化を実使用上問題の無い範囲にするようにしている。
例えば、ヒゲ玉４４０は、切欠き面４４３，４４４および第１外面部４４５において、周面が仮想円Ｃ１から中心軸Ｏ側に窪んだ形状とされ、窪んだ重量分だけ中心軸Ｏに対して片重りを生じることになる。これに対し、ヒゲ玉４４０、テン輪４２０、テン真４１０、および振り座４３０の一部に、重りを追加または切欠き部を形成してヒゲ玉４４０の窪みに対してバランスをとることで、一体に回転するヒゲ玉４４０、テン輪４２０、テン真４１０、および振り座４３０の片重り量を１０μｇ・ｃｍ以下としている。
【００３０】
［本実施形態の作用効果］
ヒゲ玉４４０の第１外面部４４５が、ヒゲゼンマイ７０の巻回部７２のうち最も内周側の１巻目７２Ａに沿って形成され、第１外面部４４５と巻回部７２の１巻目７２Ａとの間には第１外面部４４５の全範囲にわたって略一定の間隔が保たれ、各々の間隔が徐々に広がらないようにできる。これにより、時計１の落下などによって衝撃が加わった場合でも、ヒゲゼンマイ７０の変位量が大きくならず、ヒゲゼンマイ７０の変形を防止でき、時計１としての歩度変化が大きくなることを防止できる。
【００３１】
すなわち、ヒゲゼンマイ７０の巻回部７２は徐々に半径が大きくなるため、最も内周側の１巻目７２Ａについては、巻出し部７２１に近い部分である仮想線Ｌ３方向の部分が、１巻目７２Ａの他の部分に比べて、半径が小さくヒゲ玉４４０に最も近づく。ヒゲゼンマイ７０およびヒゲ玉４４０の組み立ての際には、ヒゲ玉４４０とヒゲゼンマイ７０との間、とくに１巻目７２Ａとの間に所定の間隔が必要であり、巻出し部７２１に近い仮想線Ｌ３方向の部分で所定の間隔を確保すると、それより先の仮想線Ｌ４，Ｌ２の部分ではヒゲ玉４４０とヒゲゼンマイ７０の１巻目７２Ａとの間隔が徐々に大きくなる。その結果、時計１の落下などによって衝撃が加わった際に、ヒゲゼンマイ７０の１巻目７２Ａは当該部分の間隔に応じて大きく変位する。そして、ヒゲゼンマイ７０の変位が大きいと、巻出し部７２１での根元応力が増し、ヒゲゼンマイ７０が変形して歩度に影響する可能性がある。
これに対し、本実施形態のように、ヒゲ玉４４０の第１外面部４４５と、ヒゲゼンマイ７０の巻回部７２のうち最も内周側の１巻目７２Ａとの間に、第１外面部４４５の全範囲にわたって略一定の間隔が保たれていれば、巻出し部７２１に近い仮想線Ｌ３方向の部分で所定の間隔を確保した際には、それより先の仮想線Ｌ４，Ｌ２の部分でも略一定の間隔となり、ヒゲゼンマイ７０の変形を防止できる。
ここで、第１外面部４４５より先の部分、つまり第２外面部４４８においては、１巻目７２Ａとの間隔が拡大することになるが、巻出し部７２１からの長さが十分になるため、巻出し部７２１での根元応力の増大が小さく、歩度に影響するようなヒゲゼンマイ７０の変形を生じさせることが避けられる。
【００３２】
図６には、ヒゲゼンマイ７０の変形に伴う根元応力、つまり巻出し部７２１での応力の試算結果が示されている。
試算では、ヒゲ玉４４０の溝部４４１に装着されるヒゲゼンマイ７０として、幅０．０５ｍｍ、厚さ０．０１ｍｍで長さが０．１０〜２．００ｍｍまでの試験片を用い、各々をヒゲゼンマイ７０の形状に合わせて設置したうえ、巻出し部７２１と反対側端をヒゲ玉４４０に対して０．１ｍｍずつ近接離隔させ、巻出し部７２１での荷重Ｗおよび応力σを計算した。
その結果、図５の仮想線Ｌ３方向に相当する長さ０．５ｍｍの位置での応力を１００％とすると、長さが伸びるにしたがって応力は減少し、図５の仮想線Ｌ２方向に相当する長さ１．６ｍｍの位置を超えると１０％を下回った。
このことから、仮想線Ｌ３方向から仮想線Ｌ２方向までの第１外面部４４５を、第１外面部４４５と巻回部７２の１巻目７２Ａとの間に略一定の間隔が保たれるようにすることで、時計１に外部からの衝撃が加わった場合でも、ヒゲゼンマイ７０の変位量が大きくなることを防止できる。
【００３３】
第１外面部４４５として、中心点Ｏ１で半径Ｒ１の円弧とされた第１円弧部４４６および中心点Ｏ２で半径Ｒ１の円弧とされた第２円弧部４４７で形成し、第１外面部４４５を、２つの円弧を連続させた曲線とすることにより、ヒゲゼンマイ７０の巻回部７２のうち最も内周側の１巻目７２Ａに沿った形状を近似できる。同形状は、正確に表現すれば複雑な曲率変化を伴うが、２つの円弧とすることで容易に曲線を画定でき、第１外面部４４５を有するヒゲ玉４４０を容易に製造できる。
【００３４】
ヒゲ玉４４０は、第１外面部４４５に加えて、巻回部７２の１巻目７２Ａに対向する第２外面部４４８を備え、第２外面部４４８の形状を、ヒゲ玉４４０の中心軸Ｏを中心とする半径Ｒの円弧、つまり単純な円筒面とすることができ、ヒゲ玉４４０を容易に製造できる。
【００３５】
［他の実施形態］
なお、本発明は前記実施形態の構成に限定されず、本発明の要旨の範囲内で種々の変形実施が可能である。
前記実施形態では、第１外面部４４５を、第１円弧部４４６および第２円弧部４４７の２つの円弧により、巻回部７２の１巻目７２Ａに沿った形状を近似し、巻回部７２の１巻目７２Ａとの間に略一定の間隔が保たれるようにした。これに対し、第１外面部４４５の平面視の形状を、第１外面部４４５に対向する巻回部７２の１巻目７２Ａとの間隔が一定の曲線となるように正確に形成してもよい。このようにすれば、第１外面部４４５と対向するヒゲゼンマイ７０の巻回部７２の１巻目７２Ａとの間隔を一定にでき、前述した衝撃によるヒゲゼンマイ７０の変形防止ないし時計１としての歩度の増大防止の効果を最大にできる。
【００３６】
前記実施形態では、ヒゲ玉４４０の外周面に、巻回部７２の１巻目７２Ａに沿った形状の第１外面部４４５を形成するとともに、そのスリット４４２を挟んで反対側に半径Ｒの第２外面部４４８を形成した。これに対し、ヒゲ玉４４０の第２外面部４４８であった部分に、第１外面部４４５と仮想線Ｌ２に対して線対称な形状を形成し、ヒゲ玉４４０全体を仮想線Ｌ２に対して線対称な形状としてもよい。
前記実施形態では、時計１は、ユーザーの手首に装着される腕時計であるとしたが、懐中時計であってもよく、据え置き式の機械式時計であってもよい。
【符号の説明】
【００３７】
１…時計、１０…時計ムーブメント、１１…地板、２…外装ケース、２３…三番車、２４…四番車、２６…アンクル、２７…調速機、３…文字板、３０…手巻き機構、３１…巻真、３２…つづみ車、３３…きち車、３Ａ…カレンダー小窓、４０…丸穴車、４００…テンプ、４１…第１丸穴車、４１０…テン真、４２…第２丸穴車、４２０…テン輪、４３０…振り座、４４０…ヒゲ玉、４４１…溝部、４４２…スリット、４４５…第１外面部、４４６…第１円弧部、４４７…第２円弧部、４４８…第２外面部、４５０…ヒゲ持、４６０…緩急針、４６１…ヒゲ棒、４６２…ヒゲ受、４Ａ…時針、４Ｂ…分針、４Ｃ…秒針、５…パワーリザーブ針、５１…第１中間車、５２…第２中間車、６…日車、６０…角穴車、７…リューズ、７０…ヒゲゼンマイ、７１…内端部、７２…巻回部、７２Ａ…１巻目、７２１…巻出し部、７２２…屈曲部、７３…外端部、Ｃ１…仮想円、Ｌ１，Ｌ２，Ｌ３，Ｌ４，Ｌ５…仮想線、Ｏ…中心軸、Ｏ１，Ｏ２…中心点、Ｒ，Ｒ１，Ｒ２…半径。
【図１】
2020159735.tif 000003
【図２】
2020159735.tif 000004
【図３】
2020159735.tif 000005
【図４】
2020159735.tif 000006
【図５】
2020159735.tif 000007
【図６】
2020159735.tif 000008